(57)【要約】【課題】眼底血流計測において最適なドップラー信号を得るための入射光のオフセット位置を最適化する動作を短時間化する。【解決手段】実施形態の血流計測装置は、血流計測部、移動機構、制御部及び判定部を含む。血流計測部は、眼底にＯＣＴスキャンを適用するための光学系を含み、ＯＣＴスキャンにより収集されたデータに基づいて血流情報を取得する。移動機構は光学系を移動する。制御部は、光学系の光軸に直交する第１方向に光軸から所定距離だけ光学系を移動させるための第１移動制御を移動機構に適用する。判定部は、第１移動制御の後に、光学系を介して被検眼に入射した光の戻り光の検出結果に基づいてケラレの有無を判定する。制御部は、判定部により得られた判定結果に基づいて光学系を更に移動させるための第２移動制御を移動機構に適用する。【選択図】図４
2019130044.tif 000002
【特許請求の範囲】
【請求項１】
被検眼の眼底に光コヒーレンストモグラフィ（ＯＣＴ）スキャンを適用するための光学系を含み、前記ＯＣＴスキャンにより収集されたデータに基づいて血流情報を取得する血流計測部と、
前記光学系を移動するための移動機構と、
前記光学系の光軸に直交する第１方向に前記光軸から所定距離だけ前記光学系を移動させるための第１移動制御を前記移動機構に適用する制御部と、
前記第１移動制御の後に、前記光学系を介して前記被検眼に入射した光の戻り光の検出結果に基づいてケラレの有無を判定する判定部と
を含み、
前記制御部は、前記判定部により得られた判定結果に基づいて前記光学系を更に移動させるための第２移動制御を前記移動機構に適用する、
血流計測装置。
【請求項２】
前記第１移動制御の後に、前記光学系は、前記眼底の注目血管に沿う断面にＯＣＴスキャンを適用して断面データを収集し、
前記判定部は、前記断面データに基づいて前記ケラレの有無を判定する
ことを特徴とする請求項１に記載の血流計測装置。
【請求項３】
前記断面データに基づいて前記注目血管の傾きの推定値を求める傾き推定部を更に含む
ことを特徴とする請求項２に記載の血流計測装置。
【請求項４】
前記制御部は、前記第２移動制御の後に前記傾き推定部により求められた前記傾きの推定値と、予め設定された傾きの目標値とを表示手段に表示させる
ことを特徴とする請求項３に記載の血流計測装置。
【請求項５】
操作部を更に含み、
前記操作部を用いて前記目標値が変更されたとき、前記制御部は前記第１移動制御を再度実行する
ことを特徴とする請求項４に記載の血流計測装置。
【請求項６】
前記第２移動制御の後に前記傾き推定部により求められた前記傾きの推定値が、予め設定された傾きの目標値に略一致する場合、前記制御部は、前記血流計測部を制御して前記血流情報を取得させる
ことを特徴とする請求項３〜５のいずれかに記載の血流計測装置。
【請求項７】
前記判定部により前記ケラレが無いと判定された場合、前記制御部は、前記光学系を前記第１方向に更に移動させるように前記第２移動制御を実行し、
前記判定部により前記ケラレが有ると判定された場合、前記制御部は、前記第１方向の反対方向に前記光学系を移動させるように前記第２移動制御を実行する
ことを特徴とする請求項１〜６のいずれかに記載の血流計測装置。
【請求項８】
前記制御部は、前記判定部により前記ケラレが無いと判定され、且つ、前記第１移動制御の直前における前記光軸の位置からの変位が最大となる位置に前記光学系が配置されるまで、前記第２移動制御を繰り返し実行する
ことを特徴とする請求項７に記載の血流計測装置。
【請求項９】
前記眼底の赤外観察画像を取得するための観察系と、
前記赤外観察画像を評価する評価部と
を更に含み、
前記制御部は、前記判定部により得られた判定結果と前記評価部により得られた評価結果とに基づいて前記第２移動制御を実行する
ことを特徴とする請求項１〜６のいずれかに記載の血流計測装置。
【請求項１０】
前記判定部により前記ケラレが無いと判定され、且つ、前記評価部により前記赤外観察画像が良好であると評価された場合、前記制御部は、前記光学系を前記第１方向に更に移動させるように前記第２移動制御を実行し、
前記判定部により前記ケラレが有ると判定された場合、又は、前記評価部により前記赤外観察画像が良好でないと評価された場合、前記制御部は、前記第１方向の反対方向に前記光学系を移動させるように前記第２移動制御を実行する
ことを特徴とする請求項９に記載の血流計測装置。
【請求項１１】
前記制御部は、前記判定部により前記ケラレが無いと判定され、前記評価部により前記赤外観察画像が良好であると評価され、且つ、前記第１移動制御の直前における前記光軸の位置からの変位が最大となる位置に前記光学系が配置されるまで、前記第２移動制御を繰り返し実行する
ことを特徴とする請求項１０に記載の血流計測装置。
【請求項１２】
前記赤外観察画像を解析して前記眼底の動きを検知する動き検知部を更に含み、
前記制御部は、前記動き検知部により検知された前記眼底の動きに合わせて前記光学系を移動するためのトラッキング制御を前記移動機構に適用する
ことを特徴とする請求項９〜１１のいずれかに記載の血流計測装置。
【請求項１３】
前記被検眼に散瞳剤が適用されたか否かに応じて前記第１移動制御における前記所定距離を設定する第１設定部を更に含む
ことを特徴とする請求項１〜１２のいずれかに記載の血流計測装置。
【請求項１４】
前記被検眼の瞳孔径の値を取得する瞳孔径情報取得部と、
前記瞳孔径の値に基づいて前記第１移動制御における前記所定距離を設定する第２設定部と
を更に含む
ことを特徴とする請求項１〜１２のいずれかに記載の血流計測装置。
【発明の詳細な説明】
【技術分野】
【０００１】
この発明は、眼底の血流動態を計測するための血流計測装置に関する。
【背景技術】
【０００２】
眼科分野において、光コヒーレンストモグラフィ（Ｏｐｔｉｃａｌ  Ｃｏｈｅｒｅｎｃｅ  Ｔｏｍｏｇｒａｐｈｙ：ＯＣＴ）を利用して眼底の血流動態を計測する装置の開発が進められている。
【０００３】
眼底血流計測において最適なドップラー信号を得るために、血流方向（血管の走行方向）に対して斜めに光を入射する必要がある。そのために、眼の光軸に対して入射光をオフセットさせることがある。オフセット量が増加するほど、血管に対してより斜めに光を入射できる一方、入射光又はその戻り光が瞳孔にてケラレる可能性がより高くなる。したがって、瞳孔でケラレない範囲において最大のオフセット量になる位置を探すことが望ましい。この動作を自動で行う場合、ケラレが生じないようにオフセット量を少しずつ増加していく方法も考えられるが、最適なオフセット位置を達成するまでに長時間を要し、被検者に多大な負担をかけることが想定される。
【先行技術文献】
【特許文献】
【０００４】
【特許文献１】特開２０１７−４２６０２号公報
【発明の概要】
【発明が解決しようとする課題】
【０００５】
この発明の目的は、眼底血流計測のための入射光のオフセット位置の最適化動作を短時間化することにある。
【課題を解決するための手段】
【０００６】
実施形態の第１の態様は、被検眼の眼底に光コヒーレンストモグラフィ（ＯＣＴ）スキャンを適用するための光学系を含み、前記ＯＣＴスキャンにより収集されたデータに基づいて血流情報を取得する血流計測部と、前記光学系を移動するための移動機構と、前記光学系の光軸に直交する第１方向に前記光軸から所定距離だけ前記光学系を移動させるための第１移動制御を前記移動機構に適用する制御部と、前記第１移動制御の後に、前記光学系を介して前記被検眼に入射した光の戻り光の検出結果に基づいてケラレの有無を判定する判定部とを含み、前記制御部は、前記判定部により得られた判定結果に基づいて前記光学系を更に移動させるための第２移動制御を前記移動機構に適用する、血流計測装置である。
【０００７】
実施形態の第２の態様は、第１の態様の血流計測装置であって、前記第１移動制御の後に、前記光学系は、前記眼底の注目血管に沿う断面にＯＣＴスキャンを適用して断面データを収集し、前記判定部は、前記断面データに基づいて前記ケラレの有無を判定する。
【０００８】
実施形態の第３の態様は、第２の態様の血流計測装置であって、前記断面データに基づいて前記注目血管の傾きの推定値を求める傾き推定部を更に含む。
【０００９】
実施形態の第４の態様は、第３の態様の血流計測装置であって、前記制御部は、前記第２移動制御の後に前記傾き推定部により求められた前記傾きの推定値と、予め設定された傾きの目標値とを表示手段に表示させる。
【００１０】
実施形態の第５の態様は、第４の態様の血流計測装置であって、操作部を更に含み、前記操作部を用いて前記目標値が変更されたとき、前記制御部は前記第１移動制御を再度実行する。
【００１１】
実施形態の第６の態様は、第３〜第５の態様のいずれかの血流計測装置であって、前記第２移動制御の後に前記傾き推定部により求められた前記傾きの推定値が、予め設定された傾きの目標値に略一致する場合、前記制御部は、前記血流計測部を制御して前記血流情報を取得させる。
【００１２】
実施形態の第７の態様は、第１〜第６の態様のいずれかの血流計測装置であって、前記判定部により前記ケラレが無いと判定された場合、前記制御部は、前記光学系を前記第１方向に更に移動させるように前記第２移動制御を実行し、前記判定部により前記ケラレが有ると判定された場合、前記制御部は、前記第１方向の反対方向に前記光学系を移動させるように前記第２移動制御を実行する。
【００１３】
実施形態の第８の態様は、第７の態様の血流計測装置であって、前記制御部は、前記判定部により前記ケラレが無いと判定され、且つ、前記第１移動制御の直前における前記光軸の位置からの変位が最大となる位置に前記光学系が配置されるまで、前記第２移動制御を繰り返し実行する。
【００１４】
実施形態の第９の態様は、第１〜第６の態様のいずれかの血流計測装置であって、前記眼底の赤外観察画像を取得するための観察系と、前記赤外観察画像を評価する評価部とを更に含み、前記制御部は、前記判定部により得られた判定結果と前記評価部により得られた評価結果とに基づいて前記第２移動制御を実行する。
【００１５】
実施形態の第１０の態様は、第９の態様の血流計測装置であって、前記判定部により前記ケラレが無いと判定され、且つ、前記評価部により前記赤外観察画像が良好であると評価された場合、前記制御部は、前記光学系を前記第１方向に更に移動させるように前記第２移動制御を実行し、前記判定部により前記ケラレが有ると判定された場合、又は、前記評価部により前記赤外観察画像が良好でないと評価された場合、前記制御部は、前記第１方向の反対方向に前記光学系を移動させるように前記第２移動制御を実行する。
【００１６】
実施形態の第１１の態様は、第１０の態様の血流計測装置であって、前記制御部は、前記判定部により前記ケラレが無いと判定され、前記評価部により前記赤外観察画像が良好であると評価され、且つ、前記第１移動制御の直前における前記光軸の位置からの変位が最大となる位置に前記光学系が配置されるまで、前記第２移動制御を繰り返し実行する。
【００１７】
実施形態の第１２の態様は、第９〜第１１の態様のいずれかの血流計測装置であって、前記赤外観察画像を解析して前記眼底の動きを検知する動き検知部を更に含み、前記制御部は、前記動き検知部により検知された前記眼底の動きに合わせて前記光学系を移動するためのトラッキング制御を前記移動機構に適用する。
【００１８】
実施形態の第１３の態様は、第１〜第１２の態様のいずれかの血流計測装置であって、前記被検眼に散瞳剤が適用されたか否かに応じて前記第１移動制御における前記所定距離を設定する第１設定部を更に含む。
【００１９】
実施形態の第１４の態様は、第１〜第１２の態様のいずれかの血流計測装置であって、前記被検眼の瞳孔径の値を取得する瞳孔径情報取得部と、前記瞳孔径の値に基づいて前記第１移動制御における前記所定距離を設定する第２設定部とを更に含む。
【発明の効果】
【００２０】
実施形態によれば、眼底血流計測のための入射光のオフセット位置の最適化動作を短時間化することが可能である。
【図面の簡単な説明】
【００２１】
【図１】実施形態に係る血流計測装置の構成の一例を表す概略図である。
【図２】実施形態に係る血流計測装置の構成の一例を表す概略図である。
【図３】実施形態に係る血流計測装置の構成の一例を表す概略図である。
【図４】実施形態に係る血流計測装置の構成の一例を表す概略図である。
【図５Ａ】実施形態に係る血流計測装置の動作の一例を説明するための概略図である。
【図５Ｂ】実施形態に係る血流計測装置の動作の一例を説明するための概略図である。
【図６Ａ】実施形態に係る血流計測装置の動作の一例を説明するための概略図である。
【図６Ｂ】実施形態に係る血流計測装置の動作の一例を説明するための概略図である。
【図７Ａ】実施形態に係る血流計測装置の動作の一例を説明するための概略図である。
【図７Ｂ】実施形態に係る血流計測装置の動作の一例を説明するための概略図である。
【図８】実施形態に係る血流計測装置の動作の一例を表すフローチャートである。
【図９Ａ】実施形態に係る血流計測装置の動作の一例を説明するための概略図である。
【図９Ｂ】実施形態に係る血流計測装置の動作の一例を説明するための概略図である。
【図９Ｃ】実施形態に係る血流計測装置の動作の一例を説明するための概略図である。
【図１０】実施形態に係る血流計測装置の構成の一例を表す概略図である。
【図１１】実施形態に係る血流計測装置の構成の一例を表す概略図である。
【図１２】実施形態に係る血流計測装置の構成の一例を表す概略図である。
【発明を実施するための形態】
【００２２】
例示的な実施形態に係る血流計測装置について図面を参照しながら詳細に説明する。実施形態の血流計測装置は、ＯＣＴを利用して眼底のデータを収集し、血流動態を表す情報（血流情報）を生成する。本明細書にて引用された文献の開示内容を含む任意の公知技術を、実施形態に援用することが可能である。
【００２３】
以下の実施形態では、フーリエドメインＯＣＴ（例えば、スウェプトソースＯＣＴ）を用いて生体眼の眼底を計測することが可能な血流計測装置について説明する。ＯＣＴのタイプはスウェプトソースには限定されず、例えばスペクトラルドメインＯＣＴ又はタイムドメインＯＣＴであってもよい。実施形態の血流計測装置はＯＣＴ装置と眼底カメラを組み合わせた装置であるが、眼底カメラ以外の眼底撮影装置とＯＣＴ装置とを組み合わせてもよい。そのような眼底撮影装置の例として、走査型レーザー検眼鏡（ＳＬＯ）、スリットランプ顕微鏡、眼科手術用顕微鏡などがある。
【００２４】
〈第１の実施形態〉
〈構成〉
図１に示すように、血流計測装置１は、眼底カメラユニット２、ＯＣＴユニット１００及び演算制御ユニット２００を含む。眼底カメラユニット２には、被検眼の正面画像を取得するための光学系や機構が設けられている。ＯＣＴユニット１００には、ＯＣＴを実行するための光学系や機構の一部が設けられている。ＯＣＴを実行するための光学系や機構の他の一部は、眼底カメラユニット２に設けられている。演算制御ユニット２００は、各種の演算や制御を実行する１以上のプロセッサを含む。これらに加え、被検者の顔を支持するための部材（顎受け、額当て等）や、ＯＣＴの対象部位を切り替えるためのレンズユニット（例えば、前眼部ＯＣＴ用アタッチメント）等の任意の要素やユニットが血流計測装置１に設けられてもよい。
【００２５】
本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムを読み出し実行することで、実施形態に係る機能を実現する。
【００２６】
〈眼底カメラユニット２〉
眼底カメラユニット２には、被検眼Ｅの眼底Ｅｆを撮影するための光学系が設けられている。取得される眼底Ｅｆの画像（眼底像、眼底写真等と呼ばれる）は、観察画像、撮影画像等の正面画像である。観察画像は、近赤外光を用いた動画撮影により得られる。撮影画像は、フラッシュ光を用いた静止画像である。
【００２７】
眼底カメラユニット２は、照明光学系１０と撮影光学系３０とを含む。照明光学系１０は被検眼Ｅに照明光を照射する。撮影光学系３０は、被検眼Ｅからの照明光の戻り光を検出する。ＯＣＴユニット１００からの測定光は、眼底カメラユニット２内の光路を通じて被検眼Ｅに導かれ、その戻り光は、同じ光路を通じてＯＣＴユニット１００に導かれる。
【００２８】
照明光学系１０の観察光源１１から出力された光（観察照明光）は、凹面鏡１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ系１７、リレーレンズ１８、絞り１９、及びリレーレンズ系２０を経由する。そして、観察照明光は、孔開きミラー２１の周辺部（孔部の周囲の領域）にて反射され、ダイクロイックミラー４６を透過し、対物レンズ２２により屈折されて被検眼Ｅ（眼底Ｅｆ）を照明する。観察照明光の被検眼Ｅからの戻り光は、対物レンズ２２により屈折され、ダイクロイックミラー４６を透過し、孔開きミラー２１の中心領域に形成された孔部を通過し、ダイクロイックミラー５５を透過し、撮影合焦レンズ３１を経由し、ミラー３２により反射される。更に、この戻り光は、ハーフミラー３３Ａを透過し、ダイクロイックミラー３３により反射され、集光レンズ３４によりイメージセンサ３５の受光面に結像される。イメージセンサ３５は、所定のフレームレートで戻り光を検出する。なお、撮影光学系３０のフォーカスは、眼底Ｅｆ又は前眼部に合致するように調整される。
【００２９】
撮影光源１５から出力された光（撮影照明光）は、観察照明光と同様の経路を通って眼底Ｅｆに照射される。被検眼Ｅからの撮影照明光の戻り光は、観察照明光の戻り光と同じ経路を通ってダイクロイックミラー３３まで導かれ、ダイクロイックミラー３３を透過し、ミラー３６により反射され、集光レンズ３７によりイメージセンサ３８の受光面に結像される。
【００３０】
液晶ディスプレイ（ＬＣＤ）３９は固視標（固視標画像）を表示する。ＬＣＤ３９から出力された光束は、その一部がハーフミラー３３Ａに反射され、ミラー３２に反射され、撮影合焦レンズ３１及びダイクロイックミラー５５を経由し、孔開きミラー２１の孔部を通過する。孔開きミラー２１の孔部を通過した光束は、ダイクロイックミラー４６を透過し、対物レンズ２２により屈折されて眼底Ｅｆに投射される。
【００３１】
ＬＣＤ３９の画面上における固視標画像の表示位置を変更することにより、固視標による被検眼Ｅの固視位置を変更できる。固視位置の例として、黄斑部を中心とする画像を取得するための固視位置や、視神経乳頭を中心とする画像を取得するための固視位置や、黄斑部と視神経乳頭との間の眼底中心を中心とする画像を取得するための固視位置や、黄斑から大きく離れた部位（眼底周辺部）の画像を取得するための固視位置などがある。このような典型的な固視位置の少なくとも１つを指定するためのグラフィカルユーザーインターフェース（ＧＵＩ）等を設けることができる。また、固視位置（固視標の表示位置）をマニュアルで移動するためのＧＵＩ等を設けることができる。
【００３２】
固視位置を変更可能な固視標を被検眼Ｅに提示するための構成はＬＣＤ等の表示デバイスには限定されない。例えば、複数の発光部（発光ダイオード等）がマトリクス状（アレイ状）に配列された固視マトリクスを表示デバイスの代わりに採用することができる。この場合、複数の発光部を選択的に点灯させることにより、固視標による被検眼Ｅの固視位置を変更することができる。他の例として、移動可能な１以上の発光部によって、固視位置を変更可能な固視標を生成することができる。
【００３３】
アライメント光学系５０は、被検眼Ｅに対する光学系のアライメントに用いられるアライメント指標を生成する。発光ダイオード（ＬＥＤ）５１から出力されたアライメント光は、絞り５２、絞り５３、及びリレーレンズ５４を経由し、ダイクロイックミラー５５により反射され、孔開きミラー２１の孔部を通過し、ダイクロイックミラー４６を透過し、対物レンズ２２を介して被検眼Ｅに投射される。アライメント光の被検眼Ｅからの戻り光（角膜反射光等）は、観察照明光の戻り光と同じ経路を通ってイメージセンサ３５に導かれる。その受光像（アライメント指標像）に基づいてマニュアルアライメントやオートアライメントを実行できる。
【００３４】
従来と同様に、本例のアライメント指標像は、アライメント状態により位置が変化する２つの輝点像からなる。被検眼Ｅと光学系との相対位置がｘｙ方向に変化すると、２つの輝点像が一体的にｘｙ方向に変位する。被検眼Ｅと光学系との相対位置がｚ方向に変化すると、２つの輝点像の間の相対位置（距離）が変化する。ｚ方向における被検眼Ｅと光学系との間の距離が既定のワーキングディスタンスに一致すると、２つの輝点像が重なり合う。ｘｙ方向において被検眼Ｅの位置と光学系の位置とが一致すると、所定のアライメントターゲット内又はその近傍に２つの輝点像が提示される。ｚ方向における被検眼Ｅと光学系との間の距離がワーキングディスタンスに一致し、かつ、ｘｙ方向における被検眼Ｅの位置と光学系の位置とが一致すると、２つの輝点像が重なり合ってアライメントターゲット内に提示される。
【００３５】
オートアライメントでは、データ処理部２３０が、２つの輝点像の位置を検出し、主制御部２１１が、２つの輝点像とアライメントターゲットとの位置関係に基づいて後述の移動機構１５０を制御する。マニュアルアライメントでは、主制御部２１１が、被検眼Ｅの観察画像とともに２つの輝点像を表示部２４１に表示させ、ユーザーが、表示された２つの輝点像を参照しながら操作部２４２を用いて移動機構１５０を動作させる。
【００３６】
フォーカス光学系６０は、被検眼Ｅに対するフォーカス調整に用いられるスプリット指標を生成する。撮影光学系３０の光路（撮影光路）に沿った撮影合焦レンズ３１の移動に連動して、フォーカス光学系６０は照明光学系１０の光路（照明光路）に沿って移動される。反射棒６７は、照明光路に対して挿脱される。フォーカス調整を行う際には、反射棒６７の反射面が照明光路に傾斜配置される。ＬＥＤ６１から出力されたフォーカス光は、リレーレンズ６２を通過し、スプリット指標板６３により２つの光束に分離され、二孔絞り６４を通過し、ミラー６５により反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２を介して被検眼Ｅに投射される。フォーカス光の被検眼Ｅからの戻り光（眼底反射光等）は、アライメント光の戻り光と同じ経路を通ってイメージセンサ３５に導かれる。その受光像（スプリット指標像）に基づいてマニュアルフォーカシングやオートフォーカシングを実行できる。
【００３７】
孔開きミラー２１とダイクロイックミラー５５との間の撮影光路に、視度補正レンズ７０及び７１を選択的に挿入することができる。視度補正レンズ７０は、強度遠視を補正するためのプラスレンズ（凸レンズ）である。視度補正レンズ７１は、強度近視を補正するためのマイナスレンズ（凹レンズ）である。
【００３８】
ダイクロイックミラー４６は、眼底撮影用光路とＯＣＴ用光路（測定アーム）とを合成する。ダイクロイックミラー４６は、ＯＣＴに用いられる波長帯の光を反射し、眼底撮影用の光を透過させる。測定アームには、ＯＣＴユニット１００側から順に、コリメータレンズユニット４０、リトロリフレクタ４１、分散補償部材４２、ＯＣＴ合焦レンズ４３、光スキャナ４４、及びリレーレンズ４５が設けられている。
【００３９】
リトロリフレクタ４１は、図１に示す矢印の方向に移動可能とされ、それにより測定アームの長さが変更される。測定アームの光路長の変更は、例えば、眼軸長に応じた光路長補正や、干渉状態の調整などに利用される。
【００４０】
分散補償部材４２は、参照アームに配置された分散補償部材１１３（後述）とともに、測定光ＬＳの分散特性と参照光ＬＲの分散特性とを合わせるよう作用する。
【００４１】
ＯＣＴ合焦レンズ４３は、測定アームのフォーカス調整を行うために測定アームに沿って移動される。撮影合焦レンズ３１の移動、フォーカス光学系６０の移動、及びＯＣＴ合焦レンズ４３の移動を連係的に制御することができる。
【００４２】
光スキャナ４４は、実質的に、被検眼Ｅの瞳孔と光学的に共役な位置に配置される。光スキャナ４４は、測定アームにより導かれる測定光ＬＳを偏向する。光スキャナ４４は、例えば、２次元走査が可能なガルバノスキャナである。
【００４３】
〈ＯＣＴユニット１００〉
図２に例示するように、ＯＣＴユニット１００には、スウェプトソースＯＣＴを実行するための光学系が設けられている。この光学系は干渉光学系を含む。この干渉光学系は、波長可変光源（波長掃引型光源）からの光を測定光と参照光とに分割し、被検眼Ｅからの測定光の戻り光と参照光路を経由した参照光とを干渉させて干渉光を生成し、この干渉光を検出する。干渉光学系により得られた検出結果（検出信号）は、干渉光のスペクトルを表す信号であり、演算制御ユニット２００に送られる。
【００４４】
光源ユニット１０１は、例えば、出射光の波長を高速で変化させる近赤外波長可変レーザーを含む。光源ユニット１０１から出力された光Ｌ０は、光ファイバ１０２により偏波コントローラ１０３に導かれてその偏光状態が調整される。更に、光Ｌ０は、光ファイバ１０４によりファイバカプラ１０５に導かれて測定光ＬＳと参照光ＬＲとに分割される。測定光ＬＳの光路は測定アームなどと呼ばれ、参照光ＬＲの光路は参照アームなどと呼ばれる。
【００４５】
参照光ＬＲは、光ファイバ１１０によりコリメータ１１１に導かれて平行光束に変換され、光路長補正部材１１２及び分散補償部材１１３を経由し、リトロリフレクタ１１４に導かれる。光路長補正部材１１２は、参照光ＬＲの光路長と測定光ＬＳの光路長とを合わせるよう作用する。分散補償部材１１３は、測定アームに配置された分散補償部材４２とともに、参照光ＬＲと測定光ＬＳとの間の分散特性を合わせるよう作用する。リトロリフレクタ１１４は、これに入射する参照光ＬＲの光路に沿って移動可能であり、それにより参照アームの長さが変更される。参照アームの光路長の変更は、例えば、眼軸長に応じた光路長補正や、干渉状態の調整などに利用される。
【００４６】
リトロリフレクタ１１４を経由した参照光ＬＲは、分散補償部材１１３及び光路長補正部材１１２を経由し、コリメータ１１６によって平行光束から集束光束に変換され、光ファイバ１１７に入射する。光ファイバ１１７に入射した参照光ＬＲは、偏波コントローラ１１８に導かれてその偏光状態が調整され、光ファイバ１１９を通じてアッテネータ１２０に導かれてその光量が調整され、光ファイバ１２１を通じてファイバカプラ１２２に導かれる。
【００４７】
一方、ファイバカプラ１０５により生成された測定光ＬＳは、光ファイバ１２７により導かれてコリメータレンズユニット４０により平行光束に変換され、リトロリフレクタ４１、分散補償部材４２、ＯＣＴ合焦レンズ４３、光スキャナ４４及びリレーレンズ４５を経由し、ダイクロイックミラー４６により反射され、対物レンズ２２により屈折されて被検眼Ｅに投射される。測定光ＬＳは、被検眼Ｅの様々な深さ位置において散乱・反射される。測定光ＬＳの被検眼Ｅからの戻り光は、往路と同じ経路を逆向きに進行してファイバカプラ１０５に導かれ、光ファイバ１２８を経由してファイバカプラ１２２に到達する。
【００４８】
ファイバカプラ１２２は、光ファイバ１２８を介して入射された測定光ＬＳと、光ファイバ１２１を介して入射された参照光ＬＲとを重ね合わせて干渉光を生成する。ファイバカプラ１２２は、生成された干渉光を所定の分岐比（例えば１：１）で分岐することで一対の干渉光ＬＣを生成する。一対の干渉光ＬＣは、それぞれ光ファイバ１２３及び１２４を通じて検出器１２５に導かれる。
【００４９】
検出器１２５は、例えばバランスドフォトダイオードを含む。バランスドフォトダイオードは、一対の干渉光ＬＣをそれぞれ検出する一対のフォトディテクタを有し、これらにより得られた一対の検出結果の差分を出力する。検出器１２５は、この出力（検出信号）をデータ収集システム（ＤＡＱ）１３０に送る。
【００５０】
データ収集システム１３０には、光源ユニット１０１からクロックＫＣが供給される。クロックＫＣは、光源ユニット１０１において、波長可変光源により所定の波長範囲内で掃引される各波長の出力タイミングに同期して生成される。光源ユニット１０１は、例えば、各出力波長の光Ｌ０を分岐して２つの分岐光を生成し、これら分岐光の一方を光学的に遅延させ、これら分岐光を合成し、得られた合成光を検出し、その検出結果に基づいてクロックＫＣを生成する。データ収集システム１３０は、検出器１２５から入力される検出信号のサンプリングをクロックＫＣに基づいて実行する。データ収集システム１３０は、このサンプリングの結果を演算制御ユニット２００に送る。
【００５１】
本例では、測定アームの光路長を変更するための要素（例えば、リトロリフレクタ４１）と、参照アームの光路長を変更するための要素（例えば、リトロリフレクタ１１４、又は参照ミラー）との双方が設けられているが、一方の要素のみが設けられていてもよい。また、測定アームの光路長と参照アームの光路長との間の差（光路長差）を変更するための要素はこれらに限定されず、任意の要素（光学部材、機構など）であってよい。
【００５２】
〈制御系〉
血流計測装置１の制御系の構成例を図３及び図４に示す。制御部２１０、画像形成部２２０及びデータ処理部２３０は、演算制御ユニット２００に設けられる。
【００５３】
〈制御部２１０〉
制御部２１０は、各種の制御を実行する。制御部２１０は、主制御部２１１と記憶部２１２とを含む。
【００５４】
〈主制御部２１１〉
主制御部２１１は、プロセッサを含み、血流計測装置１の各部（図１〜図４に示された要素を含む）を制御する。
【００５５】
撮影光路に配置された撮影合焦レンズ３１と照明光路に配置されたフォーカス光学系６０とは、主制御部２１１の制御の下に、図示しない撮影合焦駆動部によって同期的に移動される。測定アームに設けられたリトロリフレクタ４１は、主制御部２１１の制御の下に、リトロリフレクタ（ＲＲ）駆動部４１Ａによって移動される。測定アームに配置されたＯＣＴ合焦レンズ４３は、主制御部２１１の制御の下に、ＯＣＴ合焦駆動部４３Ａによって移動される。測定アームに設けられた光スキャナ４４は、主制御部２１１の制御の下に動作する。参照アームに配置されたリトロリフレクタ１１４は、主制御部２１１の制御の下に、リトロリフレクタ（ＲＲ）駆動部１１４Ａによって移動される。これら駆動部のそれぞれは、主制御部２１１の制御の下に動作するパルスモータ等のアクチュエータを含む。
【００５６】
移動機構１５０は、例えば、少なくとも眼底カメラユニット２を３次元的に移動する。典型的な例において、移動機構１５０は、±ｘ方向（左右方向）に移動可能なｘステージと、ｘステージを移動するｘ移動機構と、±ｙ方向（上下方向）に移動可能なｙステージと、ｙステージを移動するｙ移動機構と、±ｚ方向（奥行き方向）に移動可能なｚステージと、ｚステージを移動するｚ移動機構とを含む。これら移動機構のそれぞれは、主制御部２１１の制御の下に動作するパルスモータ等のアクチュエータを含む。
【００５７】
主制御部２１１は、ＬＣＤ３９を制御する。例えば、主制御部２１１は、ＬＣＤ３９の画面において予め設定された位置に固視標を表示させる。また、主制御部２１１は、ＬＣＤ３９に表示されている固視標の表示位置（固視位置）を変更することができる。固視標の移動は、連続的移動、断続的移動、離散的移動など、任意の態様で行うことが可能である。本実施形態における固視位置の移動態様については後述する。
【００５８】
固視位置は、例えば、ＬＣＤ３９における固視標画像の表示位置（画素の座標）によって表現される。この座標は、例えば、ＬＣＤ３９の表示画面において予め定義された２次元座標系で表される座標である。固視マトリクスが用いられる場合、固視位置は、例えば、点灯された発光部の位置（座標）によって表現される。この座標は、例えば、複数の発光部の配列面において予め定義された２次元座標系で表される座標である。
【００５９】
〈記憶部２１２〉
記憶部２１２は各種のデータを記憶する。記憶部２１２に記憶されるデータとしては、ＯＣＴ画像や眼底像や被検眼情報などがある。被検眼情報は、患者ＩＤや氏名などの被検者情報や、左眼／右眼の識別情報や、電子カルテ情報などを含む。
【００６０】
〈画像形成部２２０〉
画像形成部２２０は、データ収集システム１３０から入力された信号（サンプリングデータ）に基づいて、眼底ＥｆのＯＣＴ画像データを形成する。画像形成部２２０は、眼底ＥｆのＢスキャン画像データ（２次元断層像データ）と、位相画像データとを形成することができる。これらＯＣＴ画像データについては後述する。画像形成部２２０は、例えば、回路基板やマイクロプロセッサを含む。なお、本明細書では、特に言及しない限り、「画像データ」と、それに基づく「画像」とを区別しない。
【００６１】
本実施形態の血流計測では、眼底Ｅｆに対して２種類の走査（主走査及び補足走査）が実行される。
【００６２】
主走査では、位相画像データを取得するために、眼底Ｅｆの注目血管に交差する断面（注目断面）を測定光ＬＳで反復的に走査する。
【００６３】
補足走査では、注目断面における注目血管の傾きを推定するために、所定の断面（補足断面）を測定光ＬＳで走査する。補足断面は、例えば、注目血管に交差しかつ注目断面の近傍に位置する断面（第１補足断面）、又は、注目断面に交差しかつ注目血管に沿う断面（第２補足断面）であってよい。
【００６４】
第１補足断面が適用される場合の例を図５Ａに示す。本例では、眼底像Ｄに示すように、眼底Ｅｆの視神経乳頭Ｄａの近傍に位置する１つの注目断面Ｃ０と、その近傍に位置する２つの補足断面Ｃ１及びＣ２とが、注目血管Ｄｂに交差するように設定される。２つの補足断面Ｃ１及びＣ２の一方は、注目断面Ｃ０に対して注目血管Ｄｂの上流側に位置し、他方は下流側に位置する。注目断面Ｃ０及び補足断面Ｃ１及びＣ２は、例えば、注目血管Ｄｂの走行方向に対して略直交するように向き付けられる。
【００６５】
第２補足断面が適用される場合の例を図５Ｂに示す。本例では、図５Ａに示す例と同様の注目断面Ｃ０が注目血管Ｄｂに略直交するように設定され、かつ、注目断面Ｃ０に略直交するように補足断面Ｃｐが設定される。補足断面Ｃｐは、注目血管Ｄｂに沿って設定される。一例として、補足断面Ｃｐは、注目断面Ｃ０の位置において注目血管Ｄｂの中心軸を通過するように設定されてよい。
【００６６】
例示的な血流計測において、主走査は、患者の心臓の少なくとも１心周期を含む期間にわたって繰り返し実行される。それにより、全ての心時相における血流動態を求めることが可能となる。なお、主走査を実行する時間は、予め設定された一定の時間であってもよいし、患者ごとに又は検査ごとに設定された時間であってもよい。前者の場合、標準的な心周期よりも長い時間が設定される（例えば２秒間）。後者の場合、患者の心電図等の生体データを参照することができる。ここで、心周期以外のファクターを考慮することも可能である。このファクターの例としては、検査に掛かる時間（患者への負担）、光スキャナ４４の応答時間（走査時間間隔）、検出器１２５の応答時間（走査時間間隔）などがある。
【００６７】
画像形成部２２０は、断層像形成部２２１と、位相画像形成部２２２とを含む。
【００６８】
〈断層像形成部２２１〉
断層像形成部２２１は、主走査においてデータ収集システム１３０より得られたサンプリングデータに基づいて、注目断面における形態の時系列変化を表す断層像（主断層像）を形成する。この処理についてより詳しく説明する。主走査は、上記のように注目断面Ｃ０を繰り返し走査するものである。断層像形成部２２１には、この繰り返し走査に応じて、データ収集システム１３０からサンプリングデータが逐次に入力される。断層像形成部２２１は、注目断面Ｃ０の各走査に対応するサンプリングデータに基づいて、注目断面Ｃ０に対応する１枚の主断層像を形成する。断層像形成部２２１は、この処理を主走査の反復回数だけ繰り返すことで、時系列に沿った一連の主断層像を形成する。ここで、これら主断層像を複数の群に分割し、各群に含まれる主断層像群を重ね合わせて画質の向上を図ってもよい（画像の加算平均処理）。
【００６９】
更に、断層像形成部２２１は、補足断面に対する補足走査においてデータ収集システム１３０により得られたサンプリングデータに基づいて、補足断面の形態を表す断層像（補足断層像）を形成する。補足断層像を形成する処理は、主断層像を形成する処理と同じ要領で実行される。ここで、主断層像は時系列に沿う一連の断層像であるが、補足断層像は１枚の断層像であってよい。また、補足断層像は、補足断面を複数回走査して得られた複数の断層像を重ね合わせて画質の向上を図ったものであってもよい（画像の加算平均処理）。
【００７０】
図５Ａに例示する補足断面Ｃ１及びＣ２が適用される場合、断層像形成部２２１は、補足断面Ｃ１に対応する補足断層像と、補足断面Ｃ２に対応する補足断層像とを形成する。図５Ｂに例示する補足断面Ｃｐが適用される場合、断層像形成部２２１は、補足断面Ｃｐに対応する補足断層像を形成する。
【００７１】
以上に例示したような断層像を形成する処理は、従来のフーリエドメインＯＣＴと同様に、ノイズ除去（ノイズ低減）、フィルタ処理、高速フーリエ変換（ＦＦＴ）などを含む。他のタイプのＯＣＴ装置の場合、断層像形成部２２１は、そのタイプに応じた公知の処理を実行する。
【００７２】
〈位相画像形成部２２２〉
位相画像形成部２２２は、主走査においてデータ収集システム１３０により得られたサンプリングデータに基づいて、注目断面における位相差の時系列変化を表す位相画像を形成する。位相画像の形成に用いられるサンプリングデータは、断層像形成部２２１による主断層像の形成に用いられるサンプリングデータと同じである。よって、主断層像と位相画像との間の位置合わせをすることが可能である。つまり、主断層像の画素と位相画像の画素との間に自然な対応関係を設定することが可能である。
【００７３】
位相画像の形成方法の一例を説明する。この例の位相画像は、隣り合うＡライン複素信号（つまり、隣接する走査点に対応する信号）の位相差を算出することにより得られる。換言すると、この例の位相画像は、主断層像の画素値（輝度値）の時系列変化に基づいて形成される。主断層像の任意の画素について、位相画像形成部２２２は、その画素の輝度値の時系列変化のグラフを作成する。位相画像形成部２２２は、このグラフにおいて所定の時間間隔Δｔだけ離れた２つの時点ｔ１及びｔ２（ｔ２＝ｔ１＋Δｔ）の間における位相差Δφを求める。そして、この位相差Δφを時点ｔ１（より一般に、時点ｔ１と時点ｔ２との間の任意の時点）における位相差Δφ（ｔ１）として定義する。予め設定された多数の時点のそれぞれについてこの処理を実行することにより、当該画素における位相差の時系列変化が得られる。
【００７４】
位相画像は、各画素の各時点における位相差の値を画像として表現したものである。この画像化処理は、例えば、位相差の値を表示色や輝度で表現することで実現できる。このとき、時系列に沿って位相が増加した場合の表示色（例えば赤色）と、減少した場合の表示色（例えば青色）とを変更することができる。また、位相の変化量の大きさを表示色の濃度で表現することもできる。このような表現方法を採用することで、血流の向きや大きさを表示色で明示することが可能となる。以上の処理を各画素について実行することにより位相画像が形成される。
【００７５】
なお、位相差の時系列変化は、上記の時間間隔Δｔを十分に小さくして位相の相関を確保することにより得られる。このとき、測定光ＬＳの走査において断層像の分解能に相当する時間未満の値に時間間隔Δｔを設定したオーバーサンプリングが実行される。
【００７６】
〈データ処理部２３０〉
データ処理部２３０は、各種のデータ処理を実行する。例えば、データ処理部２３０は、画像形成部２２０により形成された画像に対して各種の画像処理や解析処理を施す。その具体例として、データ処理部２３０は、画像の輝度補正や分散補正等の各種補正処理を実行する。更に、データ処理部２３０は、眼底カメラユニット２により得られた画像（眼底像、前眼部像等）や、外部から入力された画像に対して、各種の画像処理や解析処理を施すことができる。
【００７７】
データ処理部２３０は、眼底Ｅｆの３次元画像データを形成することができる。３次元画像データとは、３次元座標系により画素の位置が定義された画像データを意味する。３次元画像データの例として、スタックデータやボリュームデータがある。
【００７８】
スタックデータは、複数の走査線に沿って得られた複数の断層像を、走査線の位置関係に基づいて３次元的に配列させて得られた画像データである。すなわち、スタックデータは、元々個別の２次元座標系により定義されていた複数の断層像を、１つの３次元座標系により表現する（つまり、１つの３次元空間に埋め込む）ことにより得られた画像データである。
【００７９】
ボリュームデータは、３次元的に配列されたボクセルを画素とする画像データであり、ボクセルデータとも呼ばれる。ボリュームデータは、スタックデータに補間処理やボクセル化処理などを適用することで形成される。
【００８０】
データ処理部２３０は、３次元画像データに対してレンダリングを施すことで、表示用の画像を形成することができる。適用可能なレンダリング法の例として、ボリュームレンダリング、サーフェスレンダリング、最大値投影（ＭＩＰ）、最小値投影（ＭｉｎＩＰ）、多断面再構成（ＭＰＲ）などがある。
【００８１】
データ処理部２３０は、血流情報を求めるための例示的な要素として、血管領域特定部２３１と、血流情報生成部２３２と、断面設定部２３７と、ケラレ判定部２３８とを含む。血流情報生成部２３２は、傾き推定部２３３と、血流速度算出部２３４と、血管径算出部２３５と、血流量算出部２３６とを含む。
【００８２】
〈血管領域特定部２３１〉
血管領域特定部２３１は、主断層像、補足断層像、及び位相画像のそれぞれについて、注目血管Ｄｂに対応する血管領域を特定する。この処理は、各画像の画素値を解析することによって実行することが可能である（例えば閾値処理）。
【００８３】
なお、主断層像と補足断層像は解析処理の対象として十分な解像度を持っているが、位相画像は血管領域の境界を特定できるほどの解像度を持っていない場合がある。しかし、位相画像に基づき血流情報を生成する以上、それに含まれる血管領域を高精度かつ高確度で特定する必要がある。そこで、例えば次のような処理を行うことで、位相画像中の血管領域をより正確に特定することができる。
【００８４】
前述のように、主断層像と位相画像は同じサンプリングデータに基づいて形成されるため、主断層像の画素と位相画像の画素との間の自然な対応関係を定義することが可能である。血管領域特定部２３１は、例えば、主断層像を解析して血管領域を求め、この血管領域に対応する位相画像中の画像領域を当該対応関係に基づき特定し、特定された画像領域を位相画像中の血管領域として採用する。これにより、位相画像の血管領域を高精度かつ高確度で特定することができる。
【００８５】
〈血流情報生成部２３２〉
血流情報生成部２３２は、注目血管Ｄｂに関する血流情報を生成する。前述のように、血流情報生成部２３２は、傾き推定部２３３と、血流速度算出部２３４と、血管径算出部２３５と、血流量算出部２３６とを含む。
【００８６】
〈傾き推定部２３３〉
傾き推定部２３３は、補足走査により収集された補足断面のデータ（断面データ、補足断層像）に基づいて、注目血管の傾きの推定値を求める。この傾き推定値は、例えば、注目断面における注目血管の傾きの測定値、又はその近似値であってよい。
【００８７】
注目血管の傾きの値を実際に測定する場合の例を説明する（傾き推定の第１の例）。図５Ａに示す補足断面Ｃ１及びＣ２が適用された場合、傾き推定部２３３は、注目断面Ｃ０と補足断面Ｃ１と補足断面Ｃ２との間の位置関係と、血管領域特定部２３１による血管領域の特定結果とに基づいて、注目断面Ｃ０における注目血管Ｄｂの傾きを算出することができる。
【００８８】
注目血管Ｄｂの傾きの算出方法について図６Ａを参照しつつ説明する。符号Ｇ０、Ｇ１及びＧ２は、それぞれ、注目断面Ｃ０における主断層像、補足断面Ｃ１における補足断層像、及び補足断面Ｃ２における補足断層像を示す。また、符号Ｖ０、Ｖ１及びＶ２は、それぞれ、主断層像Ｇ０内の血管領域、補足断層像Ｇ１内の血管領域、及び補足断層像Ｇ２内の血管領域を示す。図６Ａに示すｚ座標軸は、測定光ＬＳの入射方向と実質的に一致する。また、主断層像Ｇ０（注目断面Ｃ０）と補足断層像Ｇ１（補足断面Ｃ１）との間の距離をｄとし、主断層像Ｇ０（注目断面Ｃ０）と補足断層像Ｇ２（補足断面Ｃ２）との間の距離を同じくｄとする。隣接する断層像の間隔、つまり隣接する断面の間隔を、断面間距離と呼ぶ。
【００８９】
傾き推定部２３３は、３つの血管領域Ｖ０、Ｖ１及びＶ２の間の位置関係に基づいて、注目断面Ｃ０における注目血管Ｄｂの傾きＡを算出することができる。この位置関係は、例えば、３つの血管領域Ｖ０、Ｖ１及びＶ２を接続することによって求められる。その具体例として、傾き推定部２３３は、３つの血管領域Ｖ０、Ｖ１及びＶ２のそれぞれの特徴位置を特定し、これら特徴位置を接続することができる。この特徴位置としては、中心位置、重心位置、最上部（ｚ座標値が最小の位置）、最下部（ｚ座標値が最大の位置）などがある。また、これら特徴位置の接続方法としては、線分で結ぶ方法、近似曲線（スプライン曲線、ベジェ曲線等）で結ぶ方法などがある。
【００９０】
更に、傾き推定部２３３は、３つの血管領域Ｖ０、Ｖ１及びＶ２から特定された特徴位置の間を接続する線に基づいて傾きＡを算出する。線分で接続する場合、例えば、注目断面Ｃ０の特徴位置と補足断面Ｃ１の特徴位置とを結ぶ第１線分の傾きと、注目断面Ｃ０の特徴位置と補足断面Ｃ２の特徴位置とを結ぶ第２線分の傾きとに基づき傾きＡを算出することができる。この算出処理の例として、２つの線分の傾きの平均値を求めることが可能である。また、近似曲線で結ぶ場合の例として、近似曲線が注目断面Ｃ０に交差する位置におけるこの近似曲線の傾きを求めることができる。なお、断面間距離ｄは、例えば、線分や近似曲線を求める処理において、断層像Ｇ０〜Ｇ２をｘｙｚ座標系に埋め込むときに用いられる。
【００９１】
この例では、３つの断面における血管領域を考慮しているが、２つの断面を考慮して傾きを求めるように構成することも可能である。その具体例として、上記第１線分又は第２線分の傾きを目的の傾きとすることができる。また、この例では１つの傾きを求めているが、血管領域Ｖ０中の２つ以上の位置（又は領域）についてそれぞれ傾きを求めるようにしてもよい。この場合、得られた２つ以上の傾きの値を別々に用いることもできるし、これら傾きの値を統計的に処理して得られる値（例えば、平均値、最大値、最小値、中間値、最頻値など）を傾きＡとして用いることもできる。
【００９２】
注目血管の傾きの近似値を求める場合の例を説明する（傾き推定の第２の例）。図５Ｂに示す補足断面Ｃｐが適用された場合、傾き推定部２３３は、補足断面Ｃｐに対応する補足断層像を解析して、注目断面Ｃ０における注目血管Ｄｂの傾きの近似値を算出することができる。
【００９３】
注目血管Ｄｂの傾きの近似方法について図６Ｂを参照しつつ説明する。符号Ｇｐは、補足断面Ｃｐにおける補足断層像を示す。符号Ａは、図６Ａに示す例と同様に、注目血管Ｄｂの傾きを示す。
【００９４】
本例において、傾き推定部２３３は、補足断層像Ｇｐを解析して、眼底Ｅｆの所定組織に相当する画像領域を特定することができる。例えば、傾き推定部２３３は、網膜の表層組織である内境界膜（ＩＬＭ）に相当する画像領域（内境界膜領域）Ｍを特定することができる。画像領域の特定には、例えば、公知のセグメンテーション処理が利用される。
【００９５】
内境界膜と眼底血管とは互いに略平行であることが知られている。傾き推定部２３３は、注目断面Ｃ０における内境界膜領域Ｍの傾きＡａｐｐを算出する。注目断面Ｃ０における内境界膜領域Ｍの傾きＡａｐｐは、注目断面Ｃ０における注目血管Ｄｂの傾きＡの近似値として用いられる。
【００９６】
なお、図６Ａ及び図６Ｂに示す傾きＡは、注目血管Ｄｂの向きを表すベクトルであり、その値の定義は任意であってよい。一例として、傾き（ベクトル）Ａとｚ軸とが成す角度として傾きＡの値を定義することが可能である。同様に、図６Ｂに示す傾きＡａｐｐは、内境界膜領域Ｍの向きを表すベクトルであり、その値の定義は任意であってよい。例えば、傾き（ベクトル）Ａａｐｐとｚ軸とが成す角度として傾きＡａｐｐの値を定義することが可能である。なお、ｚ軸の向きは、測定光ＬＳの入射方向と実質的に同一である。
【００９７】
傾き推定部２３３が実行する処理は上記の例には限定されず、眼底Ｅｆの断面にＯＣＴスキャンを適用して収集された断面データに基づいて注目血管Ｄｂの傾きの推定値（例えば、注目血管Ｄｂ自体の傾き値、その近似値など）を求めることが可能な任意の処理であってよい。
【００９８】
〈血流速度算出部２３４〉
血流速度算出部２３４は、位相画像として得られる位相差の時系列変化に基づいて、注目血管Ｄｂ内を流れる血液の注目断面Ｃ０における血流速度を算出する。この算出対象は、或る時点における血流速度でもよいし、この血流速度の時系列変化（血流速度変化情報）でもよい。前者の場合、例えば心電図の所定の時相（例えばＲ波の時相）における血流速度を選択的に取得することが可能である。また、後者における時間の範囲は、注目断面Ｃ０を走査した時間の全体又は任意の一部である。
【００９９】
血流速度変化情報が得られた場合、血流速度算出部２３４は、計測期間における血流速度の統計値を算出することができる。この統計値としては、平均値、標準偏差、分散、中央値、最頻値、最大値、最小値、極大値、極小値などがある。また、血流速度の値に関するヒストグラムを作成することもできる。
【０１００】
血流速度算出部２３４は、ドップラーＯＣＴの手法を用いて血流速度を算出する。このとき、傾き推定部２３３により算出された注目断面Ｃ０における注目血管Ｄｂの傾きＡ（又は、その近似値Ａａｐｐ）が考慮される。具体的には、血流速度算出部２３４は、次式を用いることができる。
【０１０１】
【数１】
2019130044.tif 000003
【０１０２】
ここで：
Δｆは、測定光ＬＳの散乱光が受けるドップラーシフトを表す；
ｎは、媒質の屈折率を表す；
ｖは、媒質の流速（血流速度）を表す；
θは、測定光ＬＳの照射方向と媒質の流れベクトルとが成す角度を表す；
λは、測定光ＬＳの中心波長を表す。
【０１０３】
本実施形態では、ｎとλは既知であり、Δｆは位相差の時系列変化から得られ、θは傾きＡ（又は、その近似値Ａａｐｐ）から得られる。典型的には、θは、傾きＡ（又は、その近似値Ａａｐｐ）に等しい。これらの値を上記の式に代入することにより、血流速度ｖが算出される。
【０１０４】
〈血管径算出部２３５〉
血管径算出部２３５は、注目断面Ｃ０における注目血管Ｄｂの径を算出する。この算出方法の例として、眼底像（正面画像）を用いた第１の算出方法と、断層像を用いた第２の算出方法がある。
【０１０５】
第１の算出方法が適用される場合、注目断面Ｃ０の位置を含む眼底Ｅｆの部位の撮影が予め行われる。それにより得られる眼底像は、観察画像（のフレーム）でもよいし、撮影画像でもよい。撮影画像がカラー画像である場合には、これを構成する画像（例えばレッドフリー画像）を用いてもよい。また、撮影画像は、眼底蛍光造影撮影（フルオレセイン蛍光造影撮影など）により得られた蛍光画像でもよいし、ＯＣＴ血管造影（ＯＣＴアンジオグラフィ）により得られた血管強調画像（アンジオグラム、モーションコントラスト画像）でもよい。
【０１０６】
血管径算出部２３５は、撮影画角（撮影倍率）、ワーキングディスタンス、眼球光学系の情報など、画像上のスケールと実空間でのスケールとの関係を決定する各種ファクターに基づいて、眼底像におけるスケールを設定する。このスケールは実空間における長さを表す。具体例として、このスケールは、隣接する画素の間隔と、実空間におけるスケールとを対応付けたものである（例えば画素の間隔＝１０μｍ）。なお、上記ファクターの様々な値と、実空間でのスケールとの関係を予め算出し、この関係をテーブル形式やグラフ形式で表現した情報を記憶しておくことも可能である。この場合、血管径算出部２３５は、上記ファクターに対応するスケールを選択的に適用する。
【０１０７】
更に、血管径算出部２３５は、このスケールと血管領域Ｖ０に含まれる画素とに基づいて、注目断面Ｃ０における注目血管Ｄｂの径、つまり血管領域Ｖ０の径を算出する。具体例として、血管径算出部２３５は、血管領域Ｖ０の様々な方向の径の最大値や平均値を求める。また、血管領域２３５は、血管領域Ｖ０の輪郭を円近似又は楕円近似し、その円又は楕円の径を求めることができる。なお、血管径が決まれば血管領域Ｖ０の面積を（実質的に）決定することができるので（つまり両者を実質的に一対一に対応付けることができるので）、血管径を求める代わりに当該面積を算出するようにしてもよい。
【０１０８】
第２の算出方法について説明する。第２の算出方法では、典型的には、注目断面Ｃ０における断層像が用いられる。この断層像は、主断層像でもよいし、これとは別個に取得されたものでもよい。
【０１０９】
この断層像におけるスケールは、ＯＣＴの計測条件などに基づき決定される。本実施形態では、図５Ａ又は図５Ｂに示すように注目断面Ｃ０を走査する。注目断面Ｃ０の長さは、ワーキングディスタンス、眼球光学系の情報など、画像上のスケールと実空間でのスケールとの関係を決定する各種ファクターに基づいて決定される。血管径算出部２３５は、例えば、この長さに基づいて隣接する画素の間隔を求め、第１の算出方法と同様にして注目断面Ｃ０における注目血管Ｄｂの径を算出する。
【０１１０】
〈血流量算出部２３６〉
血流量算出部２３６は、血流速度の算出結果と血管径の算出結果とに基づいて、注目血管Ｄｂ内を流れる血液の流量を算出する。この処理の一例を以下に説明する。
【０１１１】
血管内における血流がハーゲン・ポアズイユ流（Ｈａｇｅｎ−Ｐｏｉｓｅｕｉｌｌｅ  ｆｌｏｗ）と仮定する。また、血管径をｗとし、血流速度の最大値をＶｍとすると、血流量Ｑは次式で表される。
【０１１２】
【数２】
2019130044.tif 000004
【０１１３】
血流量算出部２３６は、血管径算出部２３５による血管径の算出結果ｗと、血流速度算出部２３４による血流速度の算出結果に基づく最大値Ｖｍとを、この数式に代入することにより、目的の血流量Ｑを算出する。
【０１１４】
〈断面設定部２３７〉
主制御部２１１は、表示部２４１に眼底Ｅｆの正面画像を表示させる。この正面画像は、任意種別の画像であってよく、例えば、観察画像、撮影画像、蛍光画像、ＯＣＴ血管造影画像、ＯＣＴプロジェクション画像、及びＯＣＴシャドウグラムのうちのいずれかであってよい。
【０１１５】
ユーザーは、操作部２４２を操作することで、表示された眼底Ｅｆの正面画像に対して１以上の注目断面を指定することができる。注目断面は、注目血管に交差するように指定される。断面設定部２３７は、指定された１以上の注目断面と、眼底Ｅｆの正面画像とに基づいて、１以上の注目断面のそれぞれに関する１以上の補足断面を設定することができる。なお、補足断面の設定を手動で行うようにしてもよい。
【０１１６】
他の例において、断面設定部２３７は、眼底Ｅｆの正面画像を解析して１以上の注目血管を特定するように構成されていてよい。注目血管の特定は、例えば、血管の太さや、眼底の所定部位（例えば、視神経乳頭、黄斑）に対する位置関係や、血管の種別（例えば、動脈、静脈）などに基づいて実行される。更に、断面設定部２３７は、特定された１以上の注目血管のそれぞれに関する１以上の注目断面と１以上の補足断面とを設定することができる。
【０１１７】
このように、ユーザーにより、断面設定部２３７により、又は、ユーザーと断面設定部２３７との協働により、図５Ａ又は図５Ｂに例示するような注目断面及び補足断面が眼底Ｅｆに対して設定される。
【０１１８】
〈ケラレ判定部２３８〉
ケラレ判定部２３８は、血流計測装置１に搭載された光学系を介して被検眼Ｅに入射した光の戻り光の検出結果に基づいて、ケラレの有無を判定する。
【０１１９】
ケラレ判定のために被検眼Ｅに入射する光の種別や用途や強度（光量）は任意であってよい。入射光の種別は、例えば赤外光又は可視光であってよい。入射光の用途は、例えば撮影、検査又は測定であってよい。
【０１２０】
本実施形態において利用可能な入射光は、例えば、ＯＣＴ用の測定光ＬＳ、又は、眼底撮影用の観察照明光、撮影照明光若しくは励起光であってよい。この入射光の戻り光の検出結果は、例えば、ＯＣＴ画像、観察画像、撮影画像、又は蛍光画像であってよい。
【０１２１】
本実施形態における「ケラレ」は、眼底血流計測のための入射光又はその戻り光の一部又は全部が瞳孔により遮られて発生するケラレ（明るさの低下）を含む。また、本実施形態における「ケラレの有無」は、次のいずれかを含む：ケラレが発生しているか否か；ケラレの程度が所定の程度を超えるか否か。
【０１２２】
ケラレ判定部２３８が実行する処理の例を説明する。以下、ケラレ判定手法に関する第１の例及び第２の例を説明するが、手法はこれらに限定されない。
【０１２３】
第１の例において、ケラレ判定のための入射光は測定光ＬＳであり、所定のＯＣＴスキャンが適用される。本例におけるＯＣＴスキャンの態様は、例えば、図５Ａに示す注目断面Ｃ０（或いは、補足断面Ｃ１及び／又はＣ２）に対するＯＣＴスキャン、又は、図５Ｂに示す補足断面Ｃｐに対するＯＣＴスキャンであってよい。本例におけるＯＣＴスキャンは、例えば、同一断面に対する繰り返し走査である。
【０１２４】
補足断面Ｃｐ（或いは、補足断面Ｃ１及び／又はＣ２）に対する繰り返し走査が適用される場合、ケラレ判定と並行して注目血管Ｄｂの傾き推定を行うことが可能であり、又は、ケラレ判定から注目血管Ｄｂの傾き推定への円滑な移行が可能である。
【０１２５】
補足断面Ｃｐが適用される場合において、ケラレが無い場合には、図７Ａに示すように補足断面Ｃｐの形態を表す断層像Ｇｐ１（断面データ）が得られる。一方、ケラレがある場合には、図７Ｂに示すように補足断面Ｃｐの形態が描出されていない断層像Ｇｐ２（断面データ）が得られる。なお、アライメントが好適な状態において、光スキャナ４４は被検眼Ｅの瞳孔と略共役な位置に配置されるので、測定光ＬＳの偏向中心は瞳孔にほぼ一致する。したがって、測定光ＬＳが瞳孔にケラレている場合には、補足断面Ｃｐの形態が描出されていない断層像Ｇｐ２（断面データ）が得られる。
【０１２６】
ケラレ判定部２３８は、補足断面Ｃｐに対するＯＣＴスキャンで得られた断層像を解析し、補足断面Ｃｐの形態が描出されているか否か判定する。例えば、ケラレ判定部２３８は、断層像に内境界膜領域（Ｍ）が描出されているか否か判定するように構成されてよい。「内境界膜領域が断層像に描出されている」との判定結果は、「ケラレが無い」との判定結果に相当する。逆に、「内境界膜領域が断層像に描出されていない」との判定結果は、「ケラレが有る」との判定結果に相当する。
【０１２７】
ケラレ判定部２３８が実行する処理の第２の例を説明する。本例において、ケラレ判定のための入射光は眼底撮影用の照明光であり、観察照明光又は撮影照明光であってよい。ケラレ判定部２３８は、眼底像を解析して、ケラレの影響である光量低下が生じているか判定する。例えば、ケラレ判定部２３８は、眼底像の中心部の明るさと周辺部の明るさとの間に差が発生しているか（つまり、周辺光量の低下が発生しているか）判定する。この判定は、眼底像を構成する画素の値（典型的には、輝度分布）を参照して実行され、例えば閾値処理、ラベリングなどの画像処理を含む。
【０１２８】
第２の例によれば、ケラレの程度を容易に判定することができる。ケラレの程度は、例えば、眼底像において周辺光量が低下している画像領域の特性に基づいて評価される。ケラレ判定部２３８は、このようにして評価値（例えば、周辺光量低下領域のサイズ（面積））を算出し、この評価値の大きさに基づいてケラレの有無を判定することができる。本例における「ケラレの有無」は、例えば、ケラレの程度が所定の程度を超えるか否かに相当する。典型的には、ケラレ判定部２３８は、算出された評価値と閾値とを比較し、評価値が閾値を超える場合には「ケラレ有り」と判定し、評価値が閾値以下である場合には「ケラレ無し」と判定する。
【０１２９】
以上のように機能するデータ処理部２３０は、例えば、プロセッサ、ＲＡＭ、ＲＯＭ、ハードディスクドライブ等を含んで構成される。ハードディスクドライブ等の記憶装置には、上記機能をプロセッサに実行させるコンピュータプログラムが予め格納されている。
【０１３０】
〈ユーザーインターフェイス２４０〉
ユーザーインターフェイス（ＵＩ）２４０は、表示部２４１と操作部２４２とを含む。表示部２４１は、図１に示す表示装置３や他の表示デバイスを含む。操作部２４２は、任意の操作デバイスを含む。ユーザーインターフェイス２４０は、例えばタッチパネルのように、表示機能と操作機能の双方を備えたデバイスを含んでいてもよい。
【０１３１】
〈動作〉
血流計測装置１の動作の例を説明する。血流計測装置１の動作の一例を図８に示す。なお、患者ＩＤの入力などの準備的処理は既に行われたとする。
【０１３２】
（Ｓ１：オートアライメント開始）
まず、オートアライメントを実行する。オートアライメントは、例えば、前述したようにアライメント指標を用いて実行される。或いは、特開２０１３−２４８３７６号公報に開示されたように、２以上の前眼部カメラを利用してオートアライメントを実行することも可能である。オートアライメントの手法はこれらに限定されない。
【０１３３】
（Ｓ２：オートアライメント完了）
被検眼Ｅと光学系との間の相対位置がｘ方向、ｙ方向及びｚ方向の全てにおいて合致すると、オートアライメントが完了する。
【０１３４】
（Ｓ３：トラッキング開始）
オートアライメントが完了したら、血流計測装置１は、被検眼Ｅ（眼底Ｅｆ）の動きに合わせて光学系を移動するためのトラッキングを開始する。トラッキングは、例えば、赤外光を用いて眼底Ｅｆの観察画像を取得する動作と、観察画像を解析して眼底Ｅｆの動きを検知する動作と、検知された眼底Ｅｆの動きに合わせて光学系を移動する動作との組み合わせによって実現される。
【０１３５】
ここで、眼底Ｅｆに対するフォーカス調整などの眼底撮影条件の設定や、光路長調整などのＯＣＴ計測条件の設定などを実行することができる。また、注目血管の選択、注目断面の設定、補足断面の設定などを、この段階又は他の任意のタイミングで実行することが可能である。本動作例では、図５Ｂに示す注目血管Ｄｂ、注目断面Ｃ０、及び、補足断面Ｃｐが設定されたとする。
【０１３６】
（Ｓ４：所定距離だけ光学系を移動）
この段階では、ｘｙ方向において角膜頂点（又は、瞳孔中心）と光学系の光軸とがほぼ一致し、ｚ方向において被検眼Ｅと光学系（対物レンズ２２）との間の距離がワーキングディスタンスにほぼ一致している。
【０１３７】
主制御部２１１は、ｘｙ面における所定方向に所定距離だけ光学系を移動するように移動機構１５０を制御する。換言すると、主制御部２１１は、光学系の光軸に直交する所定方向に、光学系の光軸から所定距離だけ光学系を移動させるための第１移動制御を移動機構１５０に適用する。それにより、ｘｙ方向において角膜頂点（又は、瞳孔中心）にほぼ一致した位置Ｈ０から、左上方向に所定距離だけ離れた位置Ｈ１に、光学系の光軸が移動される。
【０１３８】
第１移動制御における光学系の移動方向（初期移動方向）は任意であってよく、予め設定される。第１移動制御における光学系の移動距離（初期移動量）は任意であってよく、例えば、デフォルト設定された距離であってよい。なお、詳細については後述するが、初期移動量は、例えば、散瞳の有無に応じて設定された距離であってもよいし、被検眼Ｅの瞳孔径に応じて設定された距離であってもよい。
【０１３９】
（Ｓ５：ケラレの有無を判定）
ステップＳ４の後、主制御部２１１は、ケラレ判定のためのＯＣＴスキャンとして、
図５Ｂに示す補足断面Ｃｐのスキャンを開始する。ケラレ判定部２３８は、このＯＣＴスキャンにより取得された断面データに基づいて、ケラレの有無を判定する。例えば、画像形成部２２０（断層像形成部２２１）が、このＯＣＴスキャンによって取得されたデータから補足断面Ｃｐの断層像を形成し、ケラレ判定部２３８が、この断層像に補足断面Ｃｐの形態が描出されているか否か判定することでケラレの有無を判定する。
【０１４０】
（Ｓ６：移動完了？）
所定の条件（移動完了条件）が満足された場合、光学系の移動は完了したと判断され（Ｓ６：Ｙｅｓ）、処理はステップＳ８に移行する。移動完了条件が満足されていない場合（Ｓ６：Ｎｏ）、処理はステップＳ７に移行する。移動完了条件については後述する。
【０１４１】
（Ｓ７：光学系を微動）
ステップＳ６において移動完了条件が満足されていないと判定された場合（Ｓ６：Ｎｏ）、主制御部２１１は、ステップＳ５で得られた判定結果に基づいて、光学系の位置を微調整するための第２移動制御を移動機構１５０に適用する。
【０１４２】
一例として、ステップＳ５においてケラレが発生していないと判定された場合、主制御部２１１は、初期移動方向に更に光学系を移動させるように第２移動制御を実行する。例えば、図９Ｂに示すように、第１移動制御の後の光軸位置Ｈ１が瞳孔Ｅｐの内部にある場合、補足断面ＣｐのＯＣＴスキャンが好適に実行され、図７Ａに示すように補足断面Ｃｐの形態が描出された断層像が得られる。その結果、ケラレが発生していないとケラレ判定部２３８によって判定される。図９Ｂに符号Ｊ１で示すように、主制御部２１１は、初期移動方向に所定距離（所定の微動量）だけ光学系を移動するように移動機構１５０を制御する。このように、ステップＳ５においてケラレが発生していないと判定された場合には、瞳孔Ｅｐの外縁に向かう方向に（つまり、オートアライメント直後の光軸位置Ｈ０から離れる方向に）光学系の光軸が移動される。
【０１４３】
逆に、ステップＳ５においてケラレが発生していると判定された場合、主制御部２１１は、初期移動方向とは反対の方向に光学系を移動させるように第２移動制御を実行する。例えば、図９Ｃに示すように、第１移動制御の後の光軸位置Ｈ１が瞳孔Ｅｐの外部にある場合、測定光ＬＳは光彩等により遮られ、図７Ｂに示すように補足断面Ｃｐの形態が描出されていない断層像が得られる。その結果、ケラレが発生しているとケラレ判定部２３８によって判定される。図９Ｃに符号Ｊ２で示すように、主制御部２１１は、初期移動方向の反対方向に所定距離（所定の微動量）だけ光学系を移動するように移動機構１５０を制御する。このように、ステップＳ５においてケラレが発生していると判定された場合には、オートアライメント直後の光軸位置Ｈ０に向かう方向に光学系の光軸が移動される。
【０１４４】
光学系が微動された後、処理はステップＳ５に戻る。ステップＳ５〜Ｓ７は、ステップＳ６において「Ｙｅｓ」と判定されるまで繰り返される。なお、ステップＳ５〜Ｓ７が所定回数繰り返されたとき、又は、ステップＳ５〜Ｓ７の繰り返しが所定時間続いたとき、エラー判定を出力することが可能である。
【０１４５】
ステップＳ６における移動完了条件について説明する。例えば、移動完了条件は、ケラレが発生していない状態であって、第１移動制御の直前における光軸の位置からの変位が最大となる位置に光学系が配置された状態である。この場合、主制御部２１１は、ケラレ判定部２３８によりケラレが無いと判定され、且つ、第１移動制御の直前における光軸の位置からの変位が最大となる位置に光学系が配置されるまで、ステップＳ５〜Ｓ７（第２移動制御）を繰り返し実行させる。
【０１４６】
一例として、初期移動方向への微動の後にケラレが有ると判定された場合、この微動の前の光軸位置に光学系を戻すことで、本例の移動完了条件が満足される。他の例として、初期移動方向の反対方向への微動の後にケラレが無いと判定された場合、この微動の後の光学系の位置は本例の移動完了条件を満足する。
【０１４７】
なお、本例の移動完了条件が満足されたか否かの判定は、これらの例に限定されない。また、移動完了条件は、本例のそれに限定されない。
【０１４８】
（Ｓ８：注目血管の傾きを推定）
ステップＳ６において光学系の移動は完了したと判断されると（Ｓ６：Ｙｅｓ）、血流計測装置１は、注目血管Ｄｂの傾きを推定する。本例の傾き推定には、例えば、ケラレ判定と同じく補足断面Ｃｐの断面データが利用される。
【０１４９】
（Ｓ９：血流計測を実行）
ステップＳ８で注目血管Ｄｂの傾きの推定値が得られたら、血流計測装置１は、前述した要領で、注目断面Ｃ０の血流計測を実行し、血流情報を生成する。
【０１５０】
以上に説明した動作の変形例を説明する。前述したように、ＯＣＴを利用した眼底血流計測では、注目血管Ｄｂの向きと測定光ＬＳの入射方向とが成す角度（計測角度）が好適であることが重要である。
【０１５１】
そこで、傾き推定部２３３により求められた計測角度の値（推定値）と、予め設定された好適な計測角度（目標角度）の値とを、表示部２４１に表示させることで、計測角度と目標角度とをユーザーに提示することが可能である。この表示制御は主制御部２１１によって実行される。
【０１５２】
目標角度は、例えば、７８度〜８５度の範囲において設定され、より好適には８０度〜８５度の範囲において設定される。目標角度は、単一の値であってもよいし、上限及び／又は下限により定義される範囲であってもよい。目標角度は、例えば、デフォルト値、デフォルト範囲、ユーザー又は他の者（例えば、メンテナンスサービスマン）が設定した値又は範囲、血流計測装置１又は他の装置（例えば、医療機関内サーバー、及び、血流計測装置１の動作を監視する装置）が設定した値又は範囲のうちのいずれかであってよい。血流計測装置１等が設定する場合の例として、被検眼Ｅに対して過去に適用された目標角度を再度設定することや、被検者の属性に応じて目標角度を設定することや、被検眼Ｅの属性に応じて目標角度を設定することが可能である。
【０１５３】
本例では、主制御部２１１は、第１移動制御よりも後の任意のタイミングで傾き推定部２３３により求められた計測角度を目標角度とともに表示部２４１に表示させることができる。典型的には、主制御部２１１は、第１移動制御の後に傾き推定部２３３により求められた計測角度を目標角度とともに表示部２４１に表示させることや、第２移動制御の後に傾き推定部２３３により求められた計測角度を目標角度とともに表示部２４１に表示させることができる。
【０１５４】
ユーザーは、計測角度の測定値と目標角度の値とを参照して指示を入力することができる。例えば、目標角度と（ほぼ）一致する計測角度が得られた場合、ユーザーは、血流計測開始指示を操作部２４２を用いて入力することができる。また、主制御部２１１は、計測角度の測定値と目標角度とを比較し、これらが（ほぼ）一致する場合には血流計測開始制御を実行し、これらが一致しない場合には更なる第２移動制御を実行するように構成されていてもよい。
【０１５５】
第２移動制御を繰り返し行っても好適な計測角度が得られない可能性もある。この場合、ユーザーは、操作部２４２を用いて目標角度を変更することができる。また、目標角度の変更を血流計測装置１が実行することも可能である。例えば、第２移動制御が所定回数繰り返されたとき、又は、第２移動制御が所定時間実行されたとき、主制御部２１１は、目標角度を変更することができる。なお、目標角度を変更可能な範囲が予め設定されていてもよい。
【０１５６】
目標角度が変更されたとき、主制御部２１１は、第１移動制御を再度実行することができる。例えば、目標角度が変更されたことを受けて、主制御部２１１は、図８に示す動作のステップＳ４を再度実行させ、更にステップＳ５以降の処理を再度実行させることが可能である。
【０１５７】
傾き推定部２３３により求められた計測角度の値が目標角度に（ほぼ）一致したとき、主制御部２１１は、血流計測を開始させて血流情報を取得させることができる。典型的には、第２移動制御の後に傾き推定部２３３により求められた計測角度の値が目標角度に（ほぼ）一致したときに、主制御部２１１は、血流計測を開始させることができる。
【０１５８】
このような変形例によれば、血流計測装置１を次のように使用することができる。目標角度の初期値が８０度に設定されたとする。第２移動制御を繰り返し行っても計測角度８０度が達成されない場合、ユーザーは、目標角度を例えば７８度に変更する。血流計測装置１は、第１移動制御を再度行い（Ｓ４）、更に、ケラレ判定（Ｓ５）、第２移動制御などを実行する。ユーザーは、第２移動制御の後に求められた計測角度の値を表示部２４１にて確認し、計測角度７８度が達成されたら血流計測開始指示を入力する。第２移動制御を繰り返しても計測角度７８度が達成されない場合、ユーザーは、例えば、目標角度の再変更、計測のやり直し、及び、計測の中止のいずれかを選択することができる。
【０１５９】
〈作用・効果〉
実施形態に係る血流計測装置の作用及び効果について説明する。
【０１６０】
実施形態の血流計測装置（１）は、血流計測部と、移動機構と、制御部と、判定部とを含む。
【０１６１】
血流計測部は、光コヒーレンストモグラフィ（ＯＣＴ）スキャンを適用するための光学系を含み、ＯＣＴスキャンにより収集されたデータに基づいて血流情報を取得する。上記の実施形態において、血流計測部の光学系は、図１に示す測定アーム、及び、図２に示す光学系を含む。更に、血流計測部は、画像形成部２２０、及び、データ処理部２３０（血流情報生成部２３２）を含む。
【０１６２】
移動機構は、血流計測部の光学系を移動するための構成を有する。上記の実施形態において、移動機構は、移動機構１５０を含む。
【０１６３】
制御部は、血流計測部の光学系の光軸に直交する第１方向に光軸から所定距離だけ光学系を移動させるための第１移動制御を移動機構に適用する。上記の実施形態では、制御部は主制御部２１１を含む。図９Ａに例示するように、主制御部２１１は、オートアライメント直後の光軸位置Ｈ０から左上方向に所定距離だけ離れた位置Ｈ１に測定アーム（その光軸）を移動させるための第１移動制御を移動機構１５０に適用する。
【０１６４】
判定部は、第１移動制御の後に、血流計測部の光学系を介して被検眼に入射した光の戻り光の検出結果に基づいてケラレの有無を判定する。上記の実施形態では、判定部はケラレ判定部２３８を含む。
【０１６５】
ケラレ判定のために被検眼に入射される光は、ＯＣＴスキャンのための光（例えば、測定光ＬＳ）でもよいし、眼底撮影のための光（例えば、観察照明光、撮影照明光）でもよいし、ケラレ判定専用の光でもよいし、これら以外の任意の光でもよい。
【０１６６】
ケラレ判定のために被検眼に入射される光は、典型的には、血流計測のための光（ＯＣＴスキャンのための光）、又はそれと同軸に入射する光であってよい。
【０１６７】
血流計測のための光と非同軸に入射する光をケラレ判定に用いる場合において、瞳孔又はその近傍において血流計測のための光とケラレ判定のための光とが実質的に同じ位置を通過するように光学系を構成することができる。
【０１６８】
或いは、血流計測のための光と非同軸に入射する光をケラレ判定に用いる場合において、血流計測のための光の経路とケラレ判定のための光の経路とが既知又は認識可能であれば、これら経路の相対的位置関係と、ケラレ判定のための光のケラレ状態とに基づいて、血流計測のための光のケラレ判定を行うことが可能である。
【０１６９】
制御部は、判定部により得られた判定結果に基づいて、血流計測部の光学系を更に移動させるための第２移動制御を移動機構に適用する。
【０１７０】
このような実施形態によれば、眼底血流計測において最適なドップラー信号を得るための測定アームのオフセット動作において、第１移動制御により測定アームを所定距離だけオフセットさせてからケラレ判定を行い、その結果に応じて第２移動制御を行って測定アームの位置を調整することができる。したがって、瞳孔によるケラレが生じないように被検眼の光軸に対する測定アームのオフセット量を少しずつ増加していく方法と比較して、最適なオフセット位置を達成するまでの時間の短縮を図ることができる。それにより、被検者に係る負担の軽減を図ることが可能になる。
【０１７１】
実施形態において、第１移動制御の後に、血流計測部の光学系が、眼底の注目血管に沿う断面にＯＣＴスキャンを適用して断面データを収集してもよい。更に、判定部が、この断面データに基づいてケラレの有無を判定してもよい。上記の実施形態では、図５Ｂに示す補足断面ＣｐにＯＣＴスキャンを適用して断面データ（補足断層像）を取得し、この断面データに基づきケラレの有無を判定することができる（図７Ａ、図７Ｂを参照）。
【０１７２】
実施形態において、眼底の注目血管に沿う断面にＯＣＴスキャンを適用して収集された断面データに基づいて注目血管の傾きの推定値を求めてもよい（傾き推定部）。上記の実施形態では、傾き推定部２３３が、注目血管Ｄｂ自体の傾き、又は、これを近似する内境界膜の傾きを求めることができる。
【０１７３】
このような構成によれば、ケラレ判定のためのＯＣＴスキャンと血管傾き推定のためのＯＣＴスキャンとの双方に、眼底の注目血管に沿う断面にＯＣＴスキャンが適用されるので、ケラレ判定と並行して血管傾き推定を行うことが可能であり、また、ケラレ判定から血管傾き推定への円滑な移行が可能である。それにより、計測時間の短縮を図ることができ、被検者に係る負担の軽減を図ることが可能になる。
【０１７４】
実施形態において、制御部は、第２移動制御の後に傾き推定部により求められた注目血管の傾きの推定値と、予め設定された傾きの目標値とを表示手段に表示させる。上記の実施形態では、主制御部２１１は、第１移動制御の後の任意のタイミング（例えば、第２移動制御の後）に傾き推定部２３３により求められた注目血管Ｄｂの傾きの推定値（計測角度）と、予め設定された傾きの目標値（目標角度）とを表示部２４１に表示させることができる。
【０１７５】
このような構成によれば、ユーザーは、注目血管の計測角度を認識することができ、更に、計測角度と目標角度とを比較することができる。それにより、血流計測の開始や中止といった指示を任意に入力することが可能になる。
【０１７６】
実施形態において、ユーザーは、操作部（２４２）を用いて目標角度が変更することができる。目標角度が変更されたとき、制御部は第１移動制御を再度実行することが可能である。
【０１７７】
このような構成によれば、まず、ユーザーが目標角度を任意に変更することができる。更に、目標角度が変更されたことを受けて、眼底血流計測において最適なドップラー信号を得るための測定アームのオフセット動作を再度行うことができる。それにより、第２移動制御を繰り返しても好適なオフセット状態が得られない場合などにおいて、目標角度を再設定して好適なオフセット位置を再度探索することが可能になる。
【０１７８】
実施形態において、第２移動制御の後に傾き推定部により求められた注目血管の傾きの推定値が、予め設定された傾きの目標値に略一致する場合、制御部は、血流計測部を制御して血流情報を取得させることができる。上記の実施形態では、主制御部２１１は、計測角度が目標角度に（ほぼ）一致したことを受けて血流計測を開始させることが可能である。
【０１７９】
このような構成によれば、好適な計測角度が得られたことに対応して血流計測を自動で開始することができる。それにより、好適な計測角度が得られたタイミングを逃すことが無くなり、計測時間の短縮を図ることが可能となる。
【０１８０】
実施形態において、判定部によりケラレが無いと判定された場合、制御部は、第１移動制御における移動方向と同じ第１方向に血流計測部の光学系を更に移動させるように、第２移動制御を実行することができる。逆に、判定部によりケラレが有ると判定された場合、制御部は、第１方向の反対方向に血流計測部の光学系を移動させるように、第２移動制御を実行することができる。
【０１８１】
ケラレが無いと判定された場合、測定アームの光軸は被検眼の瞳孔内部に位置すると考えられるので、眼底血流計測において最適なドップラー信号を得るために測定アームのオフセット量を増加させる余地がある。したがって、実施形態では、第１移動制御における移動方向と同じ第１方向に血流計測部の光学系を更に移動させて、より好適なオフセット位置を探索する。
【０１８２】
逆に、ケラレが有ると判定された場合には、測定アームの光軸は被検眼の瞳孔外部に位置すると考えられるので、第１移動制御における移動方向とは反対の方向に血流計測部の光学系を移動させて、測定アームの光軸が瞳孔内部を通過するようにオフセット位置を調整する。
【０１８３】
このような構成によれば、ケラレが生じない範囲において測定アームのオフセット量を最大化することが可能となる。
【０１８４】
実施形態において、制御部は、判定部によりケラレが無いと判定され、且つ、第１移動制御の直前における光軸の位置からの変位が最大となる位置に光学系が配置されるまで、第２移動制御を繰り返し実行することができる。
【０１８５】
上記の実施形態では、主制御部２１１は、ケラレ判定部２３８によりケラレが無いと判定され、且つ、第１移動制御の直前における測定アームの光軸の位置Ｈ０からのオフセット量が最大となる位置に測定アームの光軸が配置されるまで、第２移動制御を繰り返し実行することができる。更に、ケラレが生じない範囲において測定アームのオフセット量が最大化されたときに、主制御部２１１は血流計測を開始させることができる。
【０１８６】
〈第２の実施形態〉
第1の実施形態の動作例にて説明したように、被検眼（眼底）の動きに合わせて光学系を移動するためのトラッキングが眼底血流計測に適用される場合がある。眼底血流計測ではＯＣＴスキャンが数秒程度にわたって実行されるので、眼球運動の影響を低減するためにトラッキングを適用するのが一般的である。
【０１８７】
前述したように、トラッキングは、典型的には、眼底の赤外観察画像を取得する動作と、この赤外観察画像を解析して眼底の動きを検知する動作と、検知された眼底の動きに合わせて移動機構を制御する動作（つまり、眼底の動きに光学系を追従させる動作）との組み合わせによって実現される。
【０１８８】
本実施形態に係る血流計測装置の構成の例について図１０を参照しつつ説明する。データ処理部２３０Ａは、第１の実施形態のデータ処理部２３０（図３、図４）の代わりに適用される。なお、第１の実施形態に係る血流計測装置１の要素のうちデータ処理部２３０以外の任意の要素を本実施形態に適用することが可能である。以下、第１の実施形態における要素を必要に応じ準用して説明を行う。
【０１８９】
データ処理部２３０Ａは、図４に示すデータ処理部２３０内の要素群に加え、動き検知部２５１と画像評価部２５２とを含む。
【０１９０】
本実施形態に係る血流計測装置は、観察系（照明光学系１０及び撮影光学系３０）を用いて眼底Ｅｆの赤外観察画像を取得することができる。赤外観察画像は、所定の時間間隔で取得された時系列画像群（フレーム群）を含む。
【０１９１】
動き検知部２５１は、観察系により取得されたフレームを解析して眼底Ｅｆの動きを検知する。この動き検知は、観察系により取得された全てのフレームに対して適用されてもよいし、それらの一部のみに対して適用されてもよい。
【０１９２】
動き検知部２５１は、例えば、眼底Ｅｆの特徴部位（例えば、視神経乳頭、黄斑、血管、病変、レーザー治療痕など）に相当する画像領域（特徴領域）をフレーム中から特定する第１処理と、複数のフレームから特定された複数の特徴領域の位置の時系列変化（時系列画像群における特徴領域の描出位置の時系列変化）を求める第２処理とを実行する。
【０１９３】
一例において、第１処理及び第２処理は観察系による赤外観察画像の取得と並行してリアルタイムに実行される。第１処理は、観察系により逐次に取得されるフレームを逐次に解析して特徴領域を特定するように実行される。更に、第２処理は、時間的に隣接する２つのフレームの間における特徴領域の描出位置の変位を逐次に算出するように実行される。
【０１９４】
主制御部２１１は、動き検知部２５１により検知された眼底Ｅｆの動きに合わせて光学系（少なくとも測定アームを含む）を移動するための制御を移動機構１５０に適用する。それにより、トラッキングが実現される。
【０１９５】
画像評価部２５２は、観察系により取得された赤外観察画像（時系列画像群、フレーム群）を評価する。この評価は、赤外観察画像がトラッキングのために好適か否かの評価であってよく、典型的には、赤外観察画像を取得するための光（例えば、観察照明光及び／又はその戻り光）のケラレの有無の判定を含む。ケラレが有る場合、赤外観察画像の周辺光量の低下が検出される。本実施形態における赤外観察画像の評価は、例えば、第１の実施形態にて説明した「ケラレ判定部２３８が実行する処理の第２の例」と同じ要領で実行されてよい。
【０１９６】
主制御部２１１は、ケラレ判定部２３８により得られた判定結果と画像評価部２５２により得られた評価結果とに基づいて、第１の実施形態と同様の第２移動制御を実行することができる。本実施形態においても、主制御部２１１は、測定アームの光軸に直交する第１方向に光軸から所定距離だけ測定アームを移動させるための第１移動制御を移動機構１５０に適用し、更に、ケラレ判定部２３８により得られた判定結果に基づいて測定アームを更に移動させるための第２移動制御を移動機構１５０に適用する。
【０１９７】
すなわち、本実施形態では、ケラレ判定と赤外観察画像の評価とを考慮して第２移動制御が実行される。このような処理の例を以下に説明する。
【０１９８】
ケラレ判定部２３８によりケラレが無いと判定され、且つ、画像評価部２５２により赤外観察画像が良好であると評価された場合、主制御部２１１は、第１移動制御と同じ第１方向に光学系（測定アーム）を更に移動させるように第２移動制御を実行することができる。
【０１９９】
逆に、ケラレ判定部２３８によりケラレが有ると判定された場合、又は、画像評価部２５２により前記赤外観察画像が良好でないと評価された場合、主制御部２１１は、第１方向の反対方向に光学系（測定アーム）を移動させるように第２移動制御を実行することができる。
【０２００】
更に、主制御部２１１は、ケラレ判定部２３８によりケラレが無いと判定され、画像評価部２５２により赤外観察画像が良好であると評価され、且つ、第１移動制御の直前における光軸の位置（Ｈ０）からの変位が最大となる位置に光学系（測定アームの対物レンズ２２）が配置されるまで、第２移動制御を繰り返し実行することが可能である。
【０２０１】
本実施形態によれば、トラッキングを好適に行いながら、眼底血流計測において最適なドップラー信号を得るための測定アームのオフセット動作を実行することが可能である。したがって、トラッキングの失敗に起因するオフセット動作のエラーを回避することができ、被検者に係る負担の更なる軽減を図ることが可能になる。
【０２０２】
〈第３の実施形態〉
本実施形態に係る血流計測装置は、第１移動制御における光学系の移動距離である初期移動量（例えば、図９Ａにおける位置Ｈ０と位置Ｈ１との間の距離）を設定することが可能である。
【０２０３】
本実施形態に係る血流計測装置の構成の例について図１１を参照しつつ説明する。制御部２１０Ａは、第１の実施形態の制御部２１０（図３、図４）の代わりに適用される。なお、第１の実施形態に係る血流計測装置１の要素のうち制御部２１０以外の任意の要素を本実施形態に適用することが可能である。以下、第１の実施形態における要素を必要に応じ準用して説明を行う。なお、本実施形態に係る血流計測装置は、データ処理部２３０及びデータ処理部２３０Ａのいずれか一方を含んでいてよい。
【０２０４】
制御部２１０Ａは、図３に示す制御部２１０内の要素群に加え、移動距離設定部２１３を含む。
【０２０５】
被検眼Ｅが小瞳孔眼である場合や白内障眼である場合や、注目血管が眼底Ｅｆの周辺部に位置する場合などにおいて、瞳孔を散大させるための薬剤（散瞳剤）を被検眼Ｅに適用することがある。移動距離設定部２１３は、被検眼Ｅに散瞳剤が適用されたか否かに応じて初期移動量を設定するように構成されている。移動距離設定部２１３は、第１設定部の例である。
【０２０６】
移動距離設定部２１３の例を説明する。例示的な移動距離設定部２１３は、散瞳剤が適用されない場合の初期移動量（第１初期移動量）と、散瞳剤が適用される場合の移動距離（第２初期移動量）とを予め記憶している。第１初期移動量は、例えば、標準的な瞳孔径の半分の値（標準的なサイズの瞳孔の半径）に設定される。第２初期移動量は、標準的な瞳孔径の眼に散瞳剤を適用したときの、散大した瞳孔の直径の半分の値に設定される。なお、被検者の属性（年齢、性別等）に応じた初期移動量や、被検眼の属性に応じた初期移動量を、予め記憶するようにしてもよい。
【０２０７】
被検眼Ｅに散瞳剤が適用されたか否かは、例えば、操作部２４２を用いてユーザーが入力する。或いは、被検者の電子カルテ等を参照して散瞳剤が適用されたか否かを判定するようにしてもよい。
【０２０８】
移動距離設定部２１３は、被検眼Ｅに散瞳剤が適用されたか否かを示す情報に基づいて、記憶された複数の初期移動量のうちから１つを選択する。主制御部２１１は、移動距離設定部２１３により選択された初期移動量を適用して第１移動制御を実行する。
【０２０９】
本実施形態によれば、被検眼Ｅの瞳孔のサイズ（特に、散瞳剤の適用の有無に応じた瞳孔径）に応じて第１移動制御における初期移動量を設定することができるので、眼底血流計測において最適なドップラー信号を得るための測定アームのオフセット動作において、最適なオフセット位置を達成するまでの時間の更なる短縮を図ることができる。それにより、被検者に係る負担の更なる軽減を図ることが可能になる。
【０２１０】
〈第４の実施形態〉
本実施形態に係る血流計測装置は、第１移動制御における光学系の移動距離である初期移動量（例えば、図９Ａにおける位置Ｈ０と位置Ｈ１との間の距離）を設定することが可能である。第３の実施形態では散瞳剤の適用の有無に応じて初期移動量を設定しているが、本実施形態では被検眼Ｅの実際の瞳孔径に応じて初期移動量を設定する。
【０２１１】
本実施形態に係る血流計測装置の構成の例について図１２を参照しつつ説明する。本実施形態に係る血流計測装置は、瞳孔径情報取得部２６０を含む。また、制御部２１０Ｂは、第１の実施形態の制御部２１０（図３、図４）の代わりに適用される。なお、第１の実施形態に係る血流計測装置１の要素のうち制御部２１０以外の任意の要素を本実施形態に適用することが可能である。以下、第１の実施形態における要素を必要に応じ準用して説明を行う。なお、本実施形態に係る血流計測装置は、データ処理部２３０及びデータ処理部２３０Ａのいずれか一方を含んでいてよい。
【０２１２】
瞳孔径情報取得部２６０は、被検眼Ｅの瞳孔径の値を取得する。例えば、瞳孔径情報取得部２６０は、被検眼Ｅの瞳孔径を測定するための要素を含む。その具体例として、瞳孔径情報取得部２６０は、照明光学系１０及び撮影光学系３０により取得された被検眼Ｅの前眼部像を解析して瞳孔領域を特定してその径を算出するプロセッサを含んでいてよい。瞳孔領域の特定は、閾値処理、エッジ検出などの処理を含んでいてよい。また、瞳孔領域の径の算出は、楕円近似、円近似などの処理を含んでいてよい。
【０２１３】
他の例において、瞳孔径情報取得部２６０は、過去に取得された被検眼Ｅの瞳孔径の測定値を、被検者の電子カルテ等から取得する。本例の瞳孔径情報取得部２６０は、電子カルテ等が格納された装置にアクセスするための通信デバイスを含む。
【０２１４】
制御部２１０Ｂは、図３に示す制御部２１０内の要素群に加え、移動距離設定部２１４を含む。移動距離設定部２１４は、瞳孔径情報取得部２６０により取得された瞳孔径の値に基づいて、第１移動制御における初期移動量を設定することができる。移動距離設定部２１４は、例えば、瞳孔径情報取得部２６０により取得された瞳孔径の値の半分の値を初期移動量として設定することができる。この初期移動量は、被検眼Ｅの瞳孔の半径の値又はその近似値に相当する。移動距離設定部２１４は、第２設定部の例である。
【０２１５】
主制御部２１１は、移動距離設定部２１４により選択された初期移動量を適用して第１移動制御を実行する。
【０２１６】
本実施形態によれば、被検眼Ｅの瞳孔径の実際の測定値に基づいて、第１移動制御における初期移動量を設定することができるので、眼底血流計測において最適なドップラー信号を得るための測定アームのオフセット動作において、最適なオフセット位置を達成するまでの時間の更なる短縮を図ることができる。それにより、被検者に係る負担の更なる軽減を図ることが可能になる。
【０２１７】
以上に説明した実施形態は、この発明の例示的な態様に過ぎない。よって、この発明の要旨の範囲内における任意の変形（省略、置換、付加等）を施すことが可能である。
【符号の説明】
【０２１８】
１  血流計測装置
２１０  制御部
２１１  主制御部
２１０Ａ  制御部
２１３  移動距離設定部
２１０Ｂ  制御部
２１４  移動距離設定部
２２０  画像形成部
２３０  データ処理部
２３２  血流情報生成部
２３３  傾き推定部
２３８  ケラレ判定部
２３０Ａ  データ処理部
２５１  動き検知部
２５２  画像評価部
２６０  瞳孔径情報取得部
【図１】
2019130044.tif 000005
【図２】
2019130044.tif 000006
【図３】
2019130044.tif 000007
【図４】
2019130044.tif 000008
【図５Ａ】
2019130044.tif 000009
【図５Ｂ】
2019130044.tif 000010
【図６Ａ】
2019130044.tif 000011
【図６Ｂ】
2019130044.tif 000012
【図７Ａ】
2019130044.tif 000013
【図７Ｂ】
2019130044.tif 000014
【図８】
2019130044.tif 000015
【図９Ａ】
2019130044.tif 000016
【図９Ｂ】
2019130044.tif 000017
【図９Ｃ】
2019130044.tif 000018
【図１０】
2019130044.tif 000019
【図１１】
2019130044.tif 000020
【図１２】
2019130044.tif 000021